(57)【要約】      （修正有）【課題】手の不自由な人の水分補給を円滑にする。【解決手段】液溜りにはフロート弁３１があり、空気清浄器１４よりの通気穴２４が上部から覗き、液溜り下部に共通穴先端２６があって、間に共通穴２１に平行に通気穴８が有って先端の通気穴が覗き、フロート弁３１が水分液の無い時フロート弁１位置１２にあり共通穴先端２６を塞いて、吸い口３にて吸引されると吸気は吸い菅６を通じて吸い菅穴に至り接続されている共通穴２１から液通穴に通じる液通菅１６に至り液容器１内の底に接してる液通口１７から水分液を吸収する。吸引を停止すると吸引される水分液はフロート弁３１を押しのけて液溜りに入りフロート弁３１は浮上、フロート弁２位置１３に至り通気穴先は水分液で塞がれると通気菅１５えの空気の流れは遮断され、水分液の流れは停止される。液容器１が吸い口３より低い位置に有った場合、逆流を止める逆止弁３３が設けてある。【選択図】図１
2005305074.tif 000002
【特許請求の範囲】
【請求項１】
液溜りにフロート弁を置く事で液通菅えの通気を自動的な制御可とし、通気菅えの通気を自動的に断続させ、液流を断続調節、共通穴先端をフロート弁にて塞ぎ空気の流れ込みを防止して吸い込みを有効に、液容器内の液を吸い込み、液溜り内に液が流れ込むとフロート弁は液で浮き上り、液溜りは液で充満されると通気菅先端の通気穴先が液で塞がれ、液容器えの通気は遮断される、吸い管と吸い管穴との間に逆止弁を設けて口中の空気、息が逆流しない機能、構造とした吸い具、機能構造の一部を用いた類似器具。
【発明の詳細な説明】
【発明の詳細な説明】
【産業上の利用分野】
【０００１】  本発明は、手の不自由で効かない人や身体の自由を失った病人が水分補給の為に飲料水を吸引補給するに際し、唇や歯を用いて吸い口を口にはさみ込み出来る限り、人の手を煩わさず、自らの力にて自由に吸飲するものであり、看病、看護人が水分補給の吸引を付きっきり介添えの行為と異なり、看病、介護人の介添えによる心身の労力を著しく軽減させるものであり、一方、手の不自由で効かない人及び身体の自由を失った病人は看病、看護人に気がね無く、安心して、自由に気の向くままに水分の吸引補給が可能となる、従って看病、介護に際して飲料水の補給時に吸飲を助ける看病、介護の介添え労力を軽減し、水分補給の飲料液の入れられた液容器の交換、液の補充だけの行為に留める事が出来、看病、介護の心身疲労を著しく軽減出来、看病、介護に其の分看病人、介護者の心身に余裕が出来、余裕の有る看病、介護が気軽に行え効率もあがる。
【背景技術】
【０００２】  従来、水分補給は水分液を袋状の容器に入れ、吸引の為にチューブを袋の口から挿入、内部の水分液を吸引すると袋内の水分が減るに従い、膨らんでいた袋は袋の弾力や外気圧によって縮んで行く事によって、特に空気を袋容器内に入れなくとも水分の吸飲補給がなされる方法が行われている、近年市販の容器入り飲料水、加工飲料水が出回り、容器のキャッブを外して直接チューブやストローを挿入しての吸引が行われるが、液入りの容器が離れた位置、吸い口より高い位置に置かれている場合、吸引を中断した際に水分液が無制限に流れ出し、口中及び口以外の所にまで流れ出して、吸引している本人は大変な思いをするし、介添えの看病人、介護者は後始末に困却するが事が多くどうしても、水分の補給に市販飲料水を吸飲させるには吸飲終了迄、付きっきりの介添えや補助が必要となっていた、キャップにチューブを差し込んで液容器内部の底にチューブ先端の口が達する様にしキャップとチューブを固定密着させ、このキャップを外したキャップの代わりに液容器の口に密封するように被せて固定し、チューブの一端にて吸引するが、吸引後口中の空気がチューブを逆流して吸引された水分液分の口中の空気・息が流れ込み液容器内にあった空気と混合され、時間が経つにつれ非衛生的な現象が起こりやすく問題で有った為、ほとんとの場合、看病、介護人が手の不自由な人、自由を失って身体を動かせない病人に付きっ切りで付き添い、注ぎ口の細長い急須やストローを用いて水分液を吸引させていた。
【発明が解決しようとする課題】
【０００３】  本発明は、置かれた液容器の位置に関係無く、手の不自由で効かない人や身体の自由を失った病人の水分補給時の水分液のこぼれ、噴出を止め、水分補給時の吸飲介添えを軽減、看病や介護の労力を最小限とすると共に手の不自由で効かない人、身体の自由を失って身体を動かせない病人が気がねなく、自由に安心して水分液の補給が随時、迅速に出来る、介護介添え器具に関するものである。
【課題を解決するための手段】
【０００４】  本発明は、液容器１からの流入液の制御を自動的に行うため液溜り２３を設け、吸引される水分液が共通穴２１から共通穴先端２６を経て、液溜り２３に流れ込み、水分液面が通気穴８の先端に達すると液容器１えの通気が遮断されるものとし、液溜り２３の液は吸引の開始時、空気が吸い菅６につながる吸い菅穴７につながる共通穴２１先端の共通穴先端２６にフロート弁３１を置き、液が無い吸引開始の時に共通穴先端２６にフロート弁３１は密封するようにフロート１位置１２に有って、液容器１が唇２０よりも高い位置に置かれていれば、液容器１内の水分液は液溜り２３に空気が空気清浄器１４の通気入り口２２通気細穴２５空気通し３０通気穴２４を経て、液溜り２３に有って、通気穴８の先端通気穴１０が覗かれていて通気穴１５のキャップ通気穴１８から液容器１内の空気と通じ、液容器１内の水分液面に外気の大気圧が掛る、液容器１と唇２０の吸い口３先端吸い込み穴１９間に落差があるため、吸引すると、液容器１内の水分液は液通管１６液通穴９に入り共通穴２１に流入、吸い管７から吸い管穴６に吸飲一部の水分液は先端の共通穴先端２６からフロート弁３１を浮き上がらせる様に働く水分液は少量で、液溜り２３に入った水分液は吸い口３の吸い込み１９からの吸引力が続く事によって吸引される上に液容器１内の水分液が液通口１７より液通管１６に流れ込み液通穴９に至り共通穴２１に達し分岐する吸い管穴７から吸い管６を経て吸い込み穴１９に至り、水分補給が行われる事になる、吸引を止めれば行き場の無くなった水分液は共通穴先端２６に有るフロート弁３１を押上げフロート弁２位置１３に浮かび揚げる結果、水分液は液溜り２３に流れ通気穴８に液面が達し、通気管１５えの通気は停止されると、水分液の流れは止められる、吸引を再開始すれば、とりあえず液溜り２３内にある水分液が吸い菅６を流れ液溜り２３にある水分液は無くなりフロート弁３１はフロート弁２位置１３からフロート弁１位置１２にて共通穴先端２６を塞ぐと液容器１内の水分液は再び直接吸引されるが、液容器１が唇２０より低い位置に有る時、水分液が無い吸引開始時には溜り液２３にあるフロート球３１は共通穴先端２６を塞ぐ様にフロート弁１位置１２にあって共通穴２１えの空気の流入は止められている為、吸い口３にて吸引すれば吸引は吸い菅６を経て吸い菅穴７が接続している共通穴２１に影響して接続する液通穴９を通じて液通菅１６に液容器１内の水分液が液通口１７から流入して吸引される、吸引を止めると水分液の流れ出しは停止され、共通穴２１吸い菅穴７にある水分液は流通穴９を通じて吸い菅穴７に設置した逆止弁３３が機能、更に液溜り２３内のフロート弁３１がフロート弁１位置１２にあって共通穴先端２６を塞ぎ空気の流入が遮断され水分液はその場に留まり、吸引を開始した場合そのまま吸引は再開される、機能、構造の吸い具。
【発明の実施形態】
【０００５】  本発明は、液溜り２３にフロート弁３１を置き、無液時は共通穴２１に通じる共通穴先端２６を塞ぐフロート弁３１がフロート１位置１２にあり、共通穴２１えの空気の流入は止められ水分液の吸引が容易に行われる、水分液を吸引すると液容器１内の水分液は通液菅１６に液通口１７から水分液が引き込まれ液通穴９に入り共通穴２１を経て分岐された吸い菅穴７に入り接続している吸い菅６に流入、吸い口３に至り吸い込み穴１９から水分液が吸い出されて口中に入る、空気は液溜り２３中に空気清浄器１４の通気入り口２２より入り通気細穴２５で埃を除き空気通し穴３０に至り液溜り２３に覗いてる通気穴先１０通気穴８通気穴曲がり３２通気管１５キャップ通気穴１８から液容器１内に入る、吸い口３の吸い込み穴１９より吸引するに従い液通菅１６に伝わり液通口１７から液容器１内の水分液を吸引、液容器１内の水分液が減る分、液容器１内空気が減り、空気清浄器１４から空気が液容器１内に補給され、水分液は吸引される、吸い込み口１９より液容器１が高い位置に置かれると、水の落差を生じ吸引が終わっても水分液の流出が止まらず、行き場を失った流出の水分液は共通穴先端２６を塞ぐフロート弁３１を押しのけ液溜り２３に入り込みフロート弁３１を浮き上がらせ、フロート弁２位置１３に移動し、液溜り２３は通気穴８の通気穴先１０を越える水分液に満たされ通気穴８えの空気は遮断されると、液容器１内えの空気補充が止まり、水分液の流れは止る、吸引が再開されると先ず液溜り２３にある水分液を吸収し、フロート弁３１を共通穴先端２６を塞ぐフロート弁１位置１２とし共通穴先端２６を塞ぐと、吸引開始時と同じに水分液は吸引されるようになる、液容器１が唇２０より低い位置に有ると水分液が無い吸引開始時には液溜り２３のフロート球３１は共通穴先端２６を塞ぐ様にフロート弁１位置１２にあって共通穴２１えの空気流入は止めてる為、吸い口３で吸引すれば吸い菅６を至て吸い菅穴７が接続する共通穴２１に影響して接続する液通穴９を通じて液通管１６に液容器１内の水分液が液通口１７から流入してき吸引される、吸引を止めると水分液の流れはそのまま止まる、共通穴２１吸い管穴７にある水分液は流通穴９を通じて液容器１内に逆流しようとするが、吸い管６と吸い管穴７に有る逆止弁３３が機能して吸い管６内と口中の水分液や息の逆流を止める、更に液溜り２３内のフロート弁３１はフロート弁１位置１２にあり共通穴先端２６を塞ぎ、空気の流入は遮断され、水分液はその場に留まり、吸引が再開されるとそのまま残留水分液は吸引される、機能、構造の吸い具。
【発明の実施例】
【０００６】  本発明の吸い具は手の不自由で効かない人、自由を失って身体を動かせない病人えの水分補給の吸い具として発明されたもので図１に示す総体説明のごとく、液容器１・ブロック２・吸い口３はそれぞれ、チューブをブロック２を中継する様に取付けられ固定、キャップ４には通気菅１５・通液菅１６が取付け固定され、液容器１の受け口に交換可能になるよう固定され、キャップ４内にある液通菅１６は液容器１の内部底面に接する所に液通口１７が覗き、キャップ４は液容器１に密封し交換可能に脱着自在に取付けられる、通気菅１５・液通菅１６はブロック２の通気穴８・液通穴９に取付け固定されて、ブロック２はキャップ栓１１で密封された共通穴２１があり液通穴９が分岐するように覗き、通気穴８は液溜り２３に覗くごとく液通穴７に平行に設けられ、液溜り２３にはフロート弁３１が置かれ共通穴２１に直角に伸びた共通穴先端２６を無液時は閉じるようになっている、この液溜り２３は外気に通じる空気菅２９が差し込まれ上部には空気清浄器１４が有って固定され、外部空気は通気入り口２２から入り通気細穴２５で大きな埃を除き空気清浄器１４内の壁面及び通気細穴２５を通過する際に細かい不純物が取り除かれて、空気菅２９内部の空気通し穴３０を通して通気穴２４から液溜り２３に至り、液溜り２３に覗いてる通気穴先１０から空気は入り通気穴８は通気菅１５に至りキャップ４のキャップ通気穴１８にて外気は液容器１内と連絡される液容器１が吸い込み口１９より低い位置に有る時生じる逆流の防止に逆止弁３３を吸い管６と吸い管穴７に設けた、機能・構造となっている。
【発明の効果】
【０００７】  本発明の吸い具は手の不自由で効かない人、自由を失って身体の動かせない病人、等の人々に水分を補給しようとする時、看護・介護を著しく軽減させると共に手の不自由な人、自由を失って身体の動かせない病人が随時自由意志にて、自ら水分補給が出来る事が、誰にも気兼ねも少なくなるが為に、心身の安定に寄与されるものであり、吸い具の使用は看護・介護の心身労力を大幅に軽減し効率を向上させ其の分経費の削減に寄与する。
【図面の簡単な説明】
【図１】  吸い具総組み説明図
【図２】  液容器拡大図
【図３】  ブロック内部詳細図
【図４】  吸い口詳細図
【符号の説明】
１    液容器
２    ブロック
３    吸い口
４    キャップ
５    鍔
６    吸い菅
７    吸い菅穴
８    通気穴２
９    液通穴
１０  通気穴先
１１  キャップ栓
１２  フロート弁１位置
１３  フロート弁２位置
１４  空気清浄器
１５  通気菅
１６  液通菅
１７  液通口
１８  キャップ通気穴
１９  吸い込み穴
２０  唇
２１  共通穴
２２  通気入り口
２３  液溜り
２４  通気穴
２５  通気細穴
２６  共通穴先端
２７  通気穴栓
２８  天蓋
２９  空気菅
３０  空気通し穴
３１  フロート弁
３２  通気穴曲がり
３３  逆止弁
【図１】
2005305074.tif 000003
【図２】
2005305074.tif 000004
【図３】
2005305074.tif 000005
【図４】
2005305074.tif 000006